(57)【特許請求の範囲】
【請求項１】
電話回線が接続される電話回線接続端子と、電話機が接続される電話機接続端子と、検針用メータ等外部機器が接続される外部接続端子と、前記外部機器に接続され電気的に絶縁された状態でデータ通信するインターフェイス回路部と、端末網制御本体を制御する本体部電源と、前記インターフェイス回路部の単独電源と、前記単独電源にて動作し、前記電話機がオフフックされたことを検出するオフフック検出手段を備え、
前記単独電源は前記本体部電源の電圧検出レベルより電話機のオフフック動作検出の電圧分以上高くなるように設定し、かつ前記オフフック検出手段は前記インターフェイス回路部と電気的に絶縁したことを特徴とする端末網制御装置。
【発明の詳細な説明】
【０００１】
【発明の属する技術分野】
本発明は、各家庭のガス検針用メータと中央管理センターの自動検針装置とを電話回線により接続して両者間を通信する端末網制御装置に関し、更に詳しくは電話機のオフフックを検出する回路の改良技術に関する。
【０００２】
【従来の技術】
図４に従来の端末網制御装置のオフフック検出回路のブロック図を示す。従来の端末網制御装置のオフフック検出回路１１１は端末網制御装置１０１の本体内部にあり、電気的に結合されていると共に、端末網制御装置の本体部電源１１３の電圧を持ち上げ、オフフック検出回路部１１１の電源とするようにコンバータ回路１１６を備えている。
【０００３】
また、図４にてインターフェイス回路部１０９は端末網制御装置の本体制御部１１０と光通信回路部品等により電気的に絶縁し、且つ電源部１１２も独立して構成されている。
【０００４】
次に図４及び図５を参照して従来のオフフック検出回路の動作を説明する。
コンバータ回路１１６は、電源消費電力削減のため各家庭のガス検針用メータと中央管理センターの自動検針装置と両者間の通信等、端末網制御装置の本体制御部１１０が動作する時のみ動作するように制御され、動作時は端末網制御装置の本体電源１１３の電源電圧が電流消費や環境変化による低下したり、電話機１０７内部回路により電圧ロスが発生するなど、オフフック検出回路１１１の動作電圧範囲が狭くなり動作しなくなる場合を考慮し、オフフック検出回路１１１が安定して動作するよう一定で且つ端末網制御装置の本体電源１１３より高い電圧を発生する。
【０００５】
次に、図４の様に非通信時及び中央監視センター側からの要求により通信する等、電話機１０７がスイッチ１１４により電話回線接続端子１０６を介して電話回線１０２に接続されている場合は、電話回線電圧を監視し規定値と比較することで電話機１０７のオフフックを検出する。
【０００６】
次に、図５のように外部機器接続端子１０４に接続された外部機器１０５側からの要求により通信する等電話機１０７がスイッチ１１４により電話機１０７が電話回線１０２より切り離された場合は、電話機１０７の抵抗値等を監視し規定値と比較することでオフフックを検出する。
【０００７】
次に、電気的に接続された状態でオフフック検出信号を端末網制御装置本体制御部１１０に伝え、スイッチ１１４を電話回線１０２側に切り替え電話機１０７が使用可能となるよう制御する。
【０００８】
また従来の端末網制御装置は、図４のように端末網制御装置本体部１０１には電源電圧が規定値以下になった場合検出し対応する電源電圧検出回路１１７を備えているがインターフェイス回路部１０９には備えていない。
【０００９】
【発明が解決しようとする課題】
このような従来のオフフック検出回路ではコンバーター回路を必要とするため大幅なコストアップとなると共にコンバーター回路から出たノイズが端末網制御装置の性能に影響を与え、人体に帯電した静電気が電話機操作時にオフフック検出回路を経由して端末網制御装置本体部に印加され、特にマイコン等の制御系に不具合を生じさせる場合があった。
【００１０】
また、インターフェイス回路部の電源電圧が異常使用や外的な要素により規定値より低下しても検知出来ず、端末網制御装置の電源電圧が規定値以上ある場合でも通信が出来ないと言う課題を有していた。
【００１１】
【課題を解決するための手段】
本願発明においては電話回線の接続端子と、電話機の接続端子と、外部接続端子と、前記外部機器に接続され電気的に絶縁された状態でデータ通信するインターフェイス回路部と、端末網制御本体を制御する本体部電源と、前記インターフェース回路部の単独電源と、前記単独電源にて動作し、前記電話機がオフフックされたことを検出するオフフック検出手段を備えている。
【００１２】
本願発明によれば、例えば人体に帯電した静電気がオフフック検出回路を介して、マイコン等の制御系に悪影響を及ぼすことがなくなる。
【００１３】
【発明の実施の形態】
端末網制御装置本体部に対し独立した電源部を持ち、且つ電気的に絶縁されたインターフェース回路部の内部に独立した電源にて動作する電話機のオフフックを検出する回路を設け、電気的に絶縁して端末網制御装置の本体制御部に接続するように構成している。
【００１４】
オフフック検出回路部を端末網制御装置本体部より電気的に絶縁する事が出来るようにすると共に本体部の電源電圧に影響されない動作電圧を確保している。
【００１５】
また、インターフェイス回路部の電源電圧を端末網制御装置本体部の電源電圧検出レベルより電話機のオフフック動作検出電圧分以上高くなるように構成し、これをオフフック回路の電源とすることで端末網制御装置本体の電源電圧が低下した場合でも端末網制御装置の電話接続端子に接続された電話機がオフフックされた事を検出するようにしている。
【００１６】
また、端末網制御装置において電話接続端子に接続された電話機のオフフック動作の検出を外部接続端子に接続された外部機器からの要求に基づき電話接続端子に接続された電話機を端末網制御装置及び電話回線より分離した状態にて行うように構成している。
【００１７】
そして電話機を含めたオフフック検出回路を完全に端末網制御装置の本体制御部から分離・独立出来ると共に電話機単独にてオフフック動作を判断出来るためオフフック検出回路が簡略化出来る。
【００１８】
また、端末網制御装置においてインターフェース回路部の電源にて動作し、且つ電気的に絶縁して端末網制御装置本体と接続し、インターフェイス回路部の電源電圧を規定値と比較判断する手段を備えている。
【００１９】
そしてインターフェイス回路の電源電圧を監視し規定値以下となった場合、光通信回路部品などにより電気的に絶縁した状態で端末網制御装置の本体制御部に信号を送り、電話回線を通じ例えば中央管理センター等に通報するようにしている。
【００２０】
【実施例】
本発明の好適な実施例を図面を参照して説明する。
【００２１】
（実施例１）
図１に実施例１の端末網制御装置の構成ブロック図を示す。
【００２２】
図に於いて、１は電話回線２を介しセンタ装置３に接続され、且つ外部接続端子４に接続された検針用メータ等の外部機器５との間のデータ通信を行う端末網制御装置装置であり、６は電話回線２を接続する電話回線接続端子であり、７は端末網制御装置１の電話機接続端子８を介し電話回線２に接続される電話機オンフック状態を示す。
【００２３】
９は端末網制御装置１の本体制御部１０と外部機器５を電気的に絶縁しデータ通信を行うインターフェイス回路部である。１１はインターフェイス回路部９の内部に電気的に絶縁され、電源電圧を端末網制御装置本体部電源１３の電源電圧検出回路１７の検出レベルより電話機７のオフフック動作検出電圧分以上高くなるように構成されたインターフェイス回路部電源１２にて動作し、且つインターフェイス回路部同様に電気的に絶縁して電話機７のオフフックを検出するオフフック検出回路である。
【００２４】
１４は電話機７を電話回線２と接続又は切り離すスイッチであり、図１は待機時及びセンタ装置３からの要求による通信時の状態である。  図２は端末網制御装置１が外部機器５からの要求による通信時の状態であり、電話機７が電話回線２よりスイッチ１４にて切り離されてオフフック検出回路１１に接続されており、電話機７がオフフックされた状態を表している。
【００２５】
次に動作を説明する。図２の様にスイッチ１４にて電話機７がオフフック検出回路１１に接続された状態にてオフフックされた場合、電話機７のインピーダンスや電圧降下の変化をオフフック検出回路１１が検出し、光通信部品等により電気的に絶縁された状態にて端末網制御装置１の本体制御部１０に信号を送り、それを受けた本体制御部１０が予め設定されたプログラムに沿って通信を終了させ、電話機７が使用可能となるようスイッチ１４の切り替え動作を行う。
【００２６】
（実施例２）
図３に実施例２の端末網制御装置の構成ブロック図を示す。
【００２７】
図３において、１５はインターフェイス回路部９の内部に構成されたインターフェイス回路用電源１２の電圧低下検出回路であり、規定値以下になった場合検出し、オフフック検出回路１１同様フォトカプラ等により電気的に絶縁された状態にて信号を端末網制御装置１の本体制御部１０に伝え、電話回線２を介しセンタ装置３に伝える等の動作を行う。
【００２８】
【発明の効果】
以上の説明から明らかのように、本発明の端末網制御装置によれば次の効果を奏する。
【００２９】
また、本発明によればオフフック回路が電気的に絶縁された構成となっているため、人体に帯電した静電気が電話機操作時にオフフック検出回路を経由して前記端末網制御装置本体部に印加され、特にマイコン等制御系の不具合を起こすことがない。
【００３０】
また、本発明によれば従来のオフフック検出回路におけるコンバーター回路の代わりとして十分に駆動可能な電圧となるようインターフェイス回路部の電源電圧を端末網制御装置の本体部電源電圧より高く設定し、電気的に絶縁した状態にてインターフェイス回路の電源とする事により大幅なコストダウンを実現すると共に、前記コンバーター回路を使用した場合のノイズ発生による端末網制御装置の性能への影響を無くし、困難な対策が不要となる。
【００３１】
また、本発明によれば電話機のオフフック検出機能を外部接続端子に接続された外部機器からの要求に基づき電話接続端子に接続された電話機を端末網制御装置及び電話回線より分離した状態にて行う場合に限定する事により、電話機を単純な抵抗値や電圧降下として検出出来、回路構成を簡素化する事が出来る。
【００３２】
また、本発明によれば、インターフェイス回路部の電源にて動作し、且つ電気的に絶縁して端末網制御装置本体と接続されたインターフェイス回路部の電源電圧を規定値と比較判断する手段を備える事により、端末網制御装置本体部の電源が規定値以上の場合においてインターフェイス回路部の電源の異常使用や外的な要素による電圧低下を検知し、インターフェイス回路の動作が不能となる前に端末網制御装置本体制御部及び電話回線を通じてセンタ装置に通報する等の対応を可能とする。
【図面の簡単な説明】
【図１】本発明の実施例１の端末網制御装置の構成ブロック図
【図２】同装置において電話機がオフフックされた状態を表したブロック図
【図３】本発明の実施例２の端末網制御装置の構成ブロック図
【図４】従来例の端末網制御装置の構成ブロック図
【図５】同装置において電話機がスイッチにより電話回線より切り離された場合の構成ブロック図
【符号の説明】
１  端末網制御装置
２  電話回線
３  センター装置
４  外部接続端子
５  外部機器
６  電話回線接続端子
７  電話機
８  電話機接続端子
９  インターフェイス回路部
１０  本体制御部
１１  オフフック検出回路
１２  インターフェイス回路部電源
１３  本体部電源
１４  スイッチ
１５  電圧低下検出回路
１６  コンバータ回路
１７  本体電源部の電圧検出回路
【図１】
0004214589.tif 000002
【図２】
0004214589.tif 000003
【図３】
0004214589.tif 000004
【図４】
0004214589.tif 000005
【図５】
0004214589.tif 000006